(57)【要約】【課題】  株式などのオンライントレードについて希望売買価格を２つ以上同時に設定できるようにして、希望価格に沿う値での取引を速やかに成立させる。【解決手段】  利用者が指定する証券について複数の異なる購入または売却希望価格を取得し、前記証券の現在価格に基づいて取得した希望価格のいずれか１を選択し、ここで選択した価格にて証券取引センタサーバに対し前記証券の購入または売却注文を行うようにする。証券価格が利用者に有利な方向に動いている場合にはより有利な価格での取引を狙えるとともに、証券価格が利用者に不利な方向に動いている場合であっても利用者の許容範囲内の価格で迅速に取引成立を実現することができる。【選択図】図４
2005050085.tif 000002
【特許請求の範囲】
【請求項１】
個々の利用者から取得される注文情報に基づいて、為替や有価証券（以下、単に「証券」と称す。）の取引を一元的に管理する取引センタサーバに対し証券売買の仲介処理を行うシステムであって、少なくとも、
前記利用者が指定する証券について２以上の異なる購入または売却希望価格を取得する希望価格取得手段と、前記証券の現在価格に基づいて前記取得した希望価格のいずれか１を選択する希望価格選択手段と、ここで選択した価格にて前記取引センタサーバに対し前記証券の購入または売却注文を行う注文処理手段と、を備えることを特徴とする証券売買システム。
【請求項２】
請求項１に記載の証券売買システムにおいて、前記希望価格選択手段は定期的に希望価格の再選択を実行するとともに、前記注文処理手段は、前記選択手段が前回と異なる希望価格を選択した場合に前記取引センタサーバに対し以前の注文を取り消して新たな希望価格で注文することを特徴とする証券売買システム。
【請求項３】
請求項１または２に記載のシステムにおいて、前記購入希望価格の最高値または前記売却希望価格の最安値として成り行き価格を指定可能であることを特徴とする証券売買システム。
【請求項４】
請求項１乃至３のいずれかに記載のシステムにおいて、当該システムがインターネットに接続されており、前記利用者の操作する利用者端末からオンラインで前記注文情報を取得することを特徴とする証券売買システム。
【請求項５】
個々の利用者から受け取る注文情報に基づいて、仲介サーバから為替や有価証券（以下、単に「証券」と称す。）の取引を一元的に管理する取引センタサーバに対し証券売買の仲介処理を行う方法において、
前記仲介サーバにて、前記利用者が指定する証券について２以上の異なる購入または売却希望価格を取得するステップと、前記証券の現在価格に基づいて前記取得した希望価格のいずれか１を選択するステップと、ここで選択した価格にて前記取引センタサーバに対し前記証券の購入または売却注文を行うステップと、を含むことを特徴とする証券売買仲介方法。
【請求項６】
請求項５に記載の証券売買仲介方法において、前記希望価格を選択するステップは、前記利用者が証券の購入を希望している場合、前記希望価格のうち近接する２つの価格の間にそれぞれ設定される基準価格を値の小さい方から前記証券の現在価格と比較し、前記証券の現在価格が前記基準価格以下であるときは当該基準価格に近い前記２つの希望価格のうち値の低い価格をそこで選択し、そうでないときは次の基準価格と前記証券の現在価格を比較して同様の手順を繰り返し、次の基準価格がないときは前記希望価格のうち最も高い価格を選択することを特徴とする証券売買仲介方法。
【請求項７】
請求項５または６に記載の証券売買仲介方法において、前記希望価格を選択するステップは、前記利用者が証券の売却を希望している場合、前記希望価格のうち近接する２つの価格の間にそれぞれ設定される基準価格を値の大きい方から前記証券の現在価格と比較し、前記証券の現在価格が前記基準価格以上であるときは当該基準価格に近い前記２つの希望価格のうち値の高い価格をそこで選択し、そうでないときは次の基準価格と前記証券の現在価格を比較して同様の手順を繰り返し、次の基準価格がないときは前記希望価格のうち最も低い価格を選択することを特徴とする証券売買仲介方法。
【発明の詳細な説明】
【技術分野】
【０００１】
本発明は証券売買システム及び証券売買仲介方法に関し、特に、利用者が同時に２段階以上の取引希望価格を設定できるようにして迅速な売買成立を実現するオンラインシステム及び方法に関する。
【背景技術】
【０００２】
為替や株式など（以下、単に「証券」と称す。）の売買は銀行や証券会社が仲介しており、従来からある方式として顧客がこれらの窓口に赴くか電話するなどして売買注文を行う取引形態がある。これらの受付窓口には証券取引を一元的に管理する取引所センタサーバに接続された窓口端末が設置されており、顧客の注文をオペレータが入力することにより取引所センタサーバに注文が登録される。
【０００３】
また近年では、為替や株式などのオンライントレードが実用化され、利用者がインターネットを介して証券売買を行えるようになっている。図１に示すように、この種のシステムではインターネットを介して利用者端末１０と仲介業者サーバ２０とが接続され、仲介業者サーバ２０は証券取引所のセンタサーバ３０と専用線で結ばれている。
【０００４】
仲介業者サーバ２０は、取引所センタサーバ３０から現在の株価情報を受け取り、利用者端末１０に提供する。また、利用者端末１０から注文を受け付け、取引所センタサーバ３０に登録する。取引所センタサーバ３０は仲介業者サーバ２０からの注文を管理し、値段の折り合う売り注文と買い注文について売買を成立させる。
【０００５】
現行のシステムでは、利用者が設定できる注文方法として指し値と成り行きの２種類がある。利用者が指し値を指定した場合、仲介業者サーバ２０を介して取引所センタサーバ３０に指し値注文が出される。取引所センタサーバ３０はこの注文情報を管理し、当該指し値での反対売買の注文があった場合に売買を成立させる。対象とする証券の価格が上昇傾向にある場合、購入希望の利用者が現在価格より安い値を指定して指し値注文を行ってもなかなか購入することができない。また、対象とする証券の価格が下降傾向にある場合、売却希望の利用者が現在価格より高い値を指定して売却注文を行ってもなかなか売却することができない。
【０００６】
一方、利用者が成り行き価格を指定すると、仲介業者サーバ２０を介して注文を受けたセンタサーバ３０は、最も早く処理できる時点での市場価格にて売買を成立させる。この場合は迅速に取引を成立させることができ、利用者にとって購入希望の証券価格が上昇傾向にある場合や、売却希望の証券価格が下降傾向にある場合には有利である。なお、オンライントレードシステムの一例が特許文献１に記載されている。
【特許文献１】特開２００３−３４４４２１号公報
【発明の開示】
【発明が解決しようとする課題】
【０００７】
例えば、利用者は現物買いまたは信用買いいずれかの方法で、現在価格が１００円の証券Ａを利用者が購入する場合を考える。利用者は、ユーザ端末にて証券Ａの現在価格を確認してから株価の動向を予測し、希望価格を指定して買い注文を行う。この場合、希望価格として（１）現在価格より若干安く（９８円）、（２）現在価格と同等（１００円）、（３）現在価格より若干高く（１０２円）、（４）成り行き価格、などを指定することができる。購入の場合、なるべく安く買う方が有利であるため、上記（１）か（２）の設定が多くなるが、株価が上昇傾向にある場合にはなかなか購入することができない。
【０００８】
この場合に希望価格を上記（３）か（４）とするとよく購入することができるが、既に（１）か（２）の注文を出している場合には買い注文を設定し直す必要があり、この再設定の間に株価が更に高値となってしまう場合がよくある。
【０００９】
すなわち、指し値の場合は、証券価格が指し値と折り合わず高値へまたは安値へ変動し続けた場合、利用者は売買できるまで注文情報の再設定を繰り返すか、売買をあきらめるしかなかった。このような状況では、指し値の変更を繰り返して結局は当初の希望価格から大きく離れた値で売買を行う結果となってしまう場合がある。
【００１０】
この点、成り行き価格を指定すれば早期に取引が成立するため、比較的当初の希望価格から近い値で売買することができる。しかしながら、成り行き売買でも、利用者が注文を発してから売買が成立するまでのタイムラグがあり、対象とする証券の価格が急騰あるいは暴落しているような場合に、利用者の予想以上の高値あるいは安値で売買が行われてしまう場合がある。この場合、利用者に予期しない損害が生じてしまうという問題がある。
【課題を解決するための手段】
【００１１】
本発明は上記のような問題に鑑み、為替や株式などのオンライントレードについて希望売買価格を２つ以上同時に設定できるようにして、希望価格に沿う値での取引が速やかに成立し得るようにした証券売買システム及び証券売買仲介方法を提供することを目的とする。
【００１２】
具体的には、本発明に係るシステムは、個々の利用者から受け取る注文情報に基づいて、為替や証券（以下、単に「証券」と称す。）の取引を一元的に管理する取引センタサーバに対し証券売買の仲介処理を行うシステムであって、少なくとも、前記利用者が指定する証券について２以上の異なる購入または売却希望価格を取得する希望価格取得手段と、前記証券の現在価格に基づいて前記取得した希望価格のいずれか１を選択する希望価格選択手段と、ここで選択した価格にて前記取引センタサーバに対し前記証券の購入または売却注文を行う注文処理手段と、を備えることを特徴とする。
【００１３】
また、前記希望価格選択手段は定期的に希望価格の再選択を実行するとともに、前記注文処理手段は、前記選択手段が前回と異なる希望価格を選択した場合に前記取引センタサーバに対し以前の注文を取り消して新たな希望価格で注文することが有効である。
【００１４】
また、前記希望価格取得手段には、前記購入希望価格の最高値または前記売却希望価格の最安値として成り行き価格を指定可能であることが望ましい。
【００１５】
また、このシステムはインターネットに接続されており、前記利用者の操作する利用者端末からオンラインで前記注文情報を取得するようにしてもよい。
【００１６】
本発明に係る方法は、個々の利用者から受け取る注文情報に基づいて、仲介サーバから為替や有価証券（以下、単に「証券」と称す。）の取引を一元的に管理する取引センタサーバに対し証券売買の仲介処理を行う方法において、
前記仲介サーバにて、前記利用者が指定する証券について２以上の異なる購入または売却希望価格を取得し、前記証券の現在価格に基づいて前記取得した希望価格のいずれか１を選択し、ここで選択した価格にて前記取引センタサーバに対し前記証券の購入または売却注文を行うことを特徴とする。
【００１７】
好適な実施例において、前記希望価格を選択するステップは、前記利用者が証券の購入を希望している場合、前記希望価格のうち近接する２つの価格の間にそれぞれ設定される基準価格を値の小さい方から前記証券の現在価格と比較し、前記証券の現在価格が前記基準価格以下であるときは当該基準価格に近い前記２つの希望価格のうち値の低い価格をそこで選択し、そうでないときは次の基準価格と前記証券の現在価格を比較して同様の手順を繰り返し、次の基準価格がないときは前記希望価格のうち最も高い価格を選択する。
【００１８】
また、前記利用者が証券の売却を希望している場合、前記希望価格のうち近接する２つの価格の間にそれぞれ設定される基準価格を値の大きい方から前記証券の現在価格と比較し、前記証券の現在価格が前記基準価格以上であるときは当該基準価格に近い前記２つの希望価格のうち値の高い価格をそこで選択し、そうでないときは次の基準価格と前記証券の現在価格を比較して同様の手順を繰り返し、次の基準価格がないときは前記希望価格のうち最も低い価格を選択する。
【発明の効果】
【００１９】
利用者が同時に２以上の異なる希望価格を指定し、仲介サーバが指定証券の現在価格に応じて選択した希望価格にて取引所センタサーバに注文を出すことにより、証券価格が利用者に有利な方向に動いている場合にはより有利な価格で取引できるともに、証券価格が利用者に不利な方向に動いている場合であっても利用者の許容範囲内の価格で迅速に取引成立を実現することができる。このシステムにより、利用者にとって有利なタイミングで取引を行うことができ、利用者の満足度を向上させることができる。
【発明を実施するための最良の形態】
【００２０】
本発明の実施の形態を、添付の図面を参照しながら以下に詳細に説明する。図１は本発明の実施例に係るオンライントレードシステムの構成例を示す図である。図１に示すように、インターネット上にいくつかの仲介業者サーバ２０が接続しており、個々の利用者は自宅や職場等で使用する利用者端末１０から任意の仲介業者サーバ２０にアクセスする。各仲介業者サーバ２０は専用線で取引所センタサーバ３０と接続されている。
【００２１】
利用者端末１０は、例えばパーソナルコンピュータ、ＰＤＡ、携帯電話機、証券会社に設置された端末など、インターネットに接続可能な情報通信端末であり、表示画面と、仲介業者サーバ２０の売買注文を出したり値段を指定したりするための入力手段を備えている。
【００２２】
取引所センタサーバ３０は、為替や特定種類の有価証券についてその取引を一元的に管理する大型コンピュータである。なお、以上および以下の説明は主に株式売買を対象として説明するが、本発明の適用範囲は株式売買システムに限るものではなく、為替や、例えば国債その他の有価証券の売買管理を行うシステムを含むものとする。ただし、説明の便宜上、これらをまとめて単に「証券」と称するものとする。取引所センタサーバ３０は、仲介業者サーバ２０からの売買注文を管理し、値段の折り合う売り注文と買い注文の取引を成立させる。
【実施例１】
【００２３】
図２は、仲介業者サーバ２０の機能概要を示す図である。図２に示すように、仲介業者サーバ２０は、利用者端末１０および取引所センタサーバ３０とデータの送受信を行う送受信手段２１と、利用者端末１０から利用者が指定する証券について２以上の異なる購入または売却希望価格を取得する希望価格取得手段２２と、証券の現在価格に基づいて前記希望価格のいずれか１を選択する希望価格選択手段２３と、ここで選択した価格にて取引センタサーバ３０に対し証券の購入または売却注文を行う注文処理手段２４とを備えている。なお、これらの機能はサーバ２０の記憶領域に格納されたコンピュータソフトウェアとサーバ２０のハードウェア資源とが協働することにより実現される。
【００２４】
希望価格取得手段２２は、利用者端末１０からの要求があった場合に指定された証券の現在価格が表示された購入用または売却用注文画面を送信する。証券の指定は例えば証券コードの入力・送信等で行うことができる。仲介業者サーバ２０から送られる購入用の画面例を図３に示す。図３に示すように、購入注文画面には少なくとも、指定証券の現在価格３１と、基準価格入力欄３２と、２つの購入希望価格入力欄（購入希望安値入力欄３３、購入希望高値入力欄３４）と、発注ボタン３５とが表示される。ここで、基準価格入力欄３２には、指定証券の現在価格３１が初期値として表示される。利用者はこの初期値をそのまま用いてもよいし、任意の価格を入力するようにしてもよい。
【００２５】
利用者は、購入希望安値入力欄３３に前記基準価格より低い安値を入力し、購入希望高値入力欄３４に基準価格より高い高値を入力し、注文ボタン３５を押下して仲介業者サーバ２０に送信するようにする。
【００２６】
ここで、証券購入の場合は少しでも安く買った方が利用者に有利であるため、購入希望安値はユーザが購入を望む第１希望価格となる。これに対し、購入希望高値は、証券価格が上昇傾向にある場合に利用者が購入を許容できる価格とし、利用者が証券購入のチャンスを逃したくない場合に、この価格までであれば購入するという第２希望価格となる。なお、この場合に利用者は希望購入高値として「成り行き価格」を設定できるものとする。
【００２７】
以降の仲介業者サーバ２０の動作を、図４のフローチャートを参照しながら説明する。ステップＳ１にて利用者端末１０から基準価格ａ、購入希望安値ｂ、購入希望高値ｃの情報を受け取った仲介業者サーバ２０は、購入希望安値ｂ＜基準価格ａ≦購入希望高値ｃであることを確認し、そうでなければ利用者端末１０にその旨を通知して利用者に再入力を促す（ステップＳ２）。本実施例では、購入注文画面に表示された証券価格が１００円であり、利用者がこの値段をそのまま基準価格ａに設定するとともに、購入希望安値ｂとして９８円、購入希望高値ｃとして１０２円を指定した場合を説明する。
【００２８】
次に、仲介業者サーバ２０の希望価格選択手段２３が、取引所センタサーバ３０にアクセスして指定銘柄の現在価格ｄを確認する（ステップＳ３）。このとき、購入注文画面にて利用者に価格提示してからの時間経過があるため、現在価格が注文画面での表示価格から変動している場合がある。希望価格選択手段２３は、最新の現在価格ｄの情報を取得し、ユーザが指定した基準価格ａと比較する（ステップＳ４）。本実施例では基準価格ａは暫く前の時点での証券価格であるので、最新の現在価格と比較することにより価格が上昇傾向にあるのか下降傾向にあるのかを判別することができる。
【００２９】
ここで、例えば指定証券の現在価格ｄが９９円であった場合、その前は１００円だったことから価格が下落していることが分かる。この場合、以降も下落が見込まれるため希望価格選択手段２３は購入希望価格ｂ（すなわち、指し値９８円）を選択する（ステップＳ５）。
【００３０】
その後、この利用者の注文として既に購入希望価格ｃ（１０２円）が取引所センタサーバ３０に登録されているか否かを確認し（ステップＳ６）、登録されている場合はこれをキャンセルする（ステップＳ７）。また、この利用者の注文として既に購入希望価格ｂ（９８円）が取引所センタサーバ１０に登録されているか否かを確認し（ステップＳ８）、登録されていればそのまま継続し、登録されていなければ購入希望価格ｂで新規に買い注文を登録する（ステップＳ９）。なお、仲介業者サーバ２０は利用者端末１０からの受信内容や証券取引所サーバ３０への注文内容のログを保存しておき、これを参照することにより現在有効な買い注文の有無などを判断する。
【００３１】
一方、ステップＳ４の判断において、指定証券の現在価格が１０１円であった場合、その前は１００円だったことから価格が上昇していることが分かる。この場合、以降も上昇を続ける可能性があるため、値上がりの少ない早期の段階で購入する方が有利であることから、希望価格選択手段２３は購入希望価格ｃ（すなわち、指し値１０２円）を選択する（ステップＳ１０）。なお、上述したように、購入希望高値ｃとして成り行き価格が指定されている場合はこれを選択する。
【００３２】
その後、この利用者の注文として既に購入希望価格ｂ（９８円）が取引所センタサーバ３０に登録されているか否かを確認し（ステップＳ１１）、登録されている場合はこれをキャンセルする（ステップＳ１２）。また、この利用者の注文として既に購入希望価格ｃ（１０２円）が取引所センタサーバ１０に登録されているか否かを確認し（ステップＳ１３）、登録されていればそのまま継続し、登録されていなければ購入希望価格ｃで新規に買い注文を登録する（ステップＳ１４）。この一連の処理により、買い注文の重複登録が回避され最新の選択値での注文が取引所センタサーバ１０に登録される。
【００３３】
取引所センタサーバ１０は仲介業者サーバ２０からの買い注文を管理し、その値での売り注文があった場合に売買を成立させ、仲介業者サーバ２０にその旨通知する。ここで、購入希望価格として「成り行き価格」が指定された場合には、その時点で存在する最も安値の売り注文との間で売買を成立させる。売買が成立した場合、仲介業者サーバ２０は利用者の証券購入が確定したとして以降の決済処理へ進む（ステップＳ１５）。一方、暫く待っても仲介業者サーバ２０に売買成立の通知がない場合、証券価格が変動して指し値の見直しが必要な可能性があるとして、仲介業者サーバ２０はステップＳ３に戻り、再び購入希望価格の再選択を行う。これにより証券の現在価格に応じた購入希望価格（９８円あるいは１０２円）が再選択され、その値段での注文が取引所センタサーバ３０に登録される（再びステップＳ３〜Ｓ１４）。
【００３４】
以上のような仲介業者サーバ２０の処理により、利用者は、証券価格が下降傾向にある場合は安値での購入を狙うことが可能となるとともに、証券価格が上昇傾向にある場合は、発注時点の価格からあまり乖離しない範囲で迅速に購入することができる。したがって、買い注文を何度も設定し直したり結局許容価格で購入できなかったりする事態を防止して、利用者の満足度を向上させることができる。
【００３５】
この実施例における売却処理について、図５及び図６を参照しながら説明する。証券の売却を希望する利用者が利用者端末１０から仲介業者サーバ２０にアクセスすると、仲介業者サーバ２０は図６に示すような売却注文画面を返信する。売却希望画面には上述した購入注文画面と同様に、指定証券の現在価格４１、この価格が初期値として転載された基準価格入力欄４２と、売却希望高値入力欄４３、売却希望安値入力欄４４とが表示される。利用者はこの画面上に２種類の希望価格を入力して送信する。図５では利用者が現在価格をそのまま基準価格ａとして１００円、売却希望高値ｂを１０２円、売却希望安値ｃを９８円と設定した場合を説明する。
【００３６】
これらの情報を受け取った仲介業者サーバ２０は（ステップＳ２１）、売却希望安値ｃ＜基準価格ａ≦売却希望高値ｂであることを確認し（ステップＳ２２）、希望価格の選択処理に移る。この処理では、先ず指定証券の現在価格ｄを確認し（ステップＳ２３）、基準価格ａと比較する。その結果、証券価格が上昇傾向にあれば（ステップＳ２４：基準価格ａ≦現在価格ｄ）、購入希望高値ｂを選択し（ステップＳ２５）、既に購入希望安値ｃで売り注文が登録されていればこれをキャンセルする（ステップＳ２６〜S２７）。また、選択された購入希望高値ｂで既に売り注文が登録されていればこれを継続し（ステップＳ２８）、登録されていなければ取引所センタサーバ３０にｂ値での売り注文を新規登録する（ステップＳ２９）。
【００３７】
一方、証券価格が下落傾向にあれば（ステップＳ２４：ＮＯ）、売却希望安値ｃを選択し（ステップＳ３０）、既に価格ｂの買い注文が登録されていればこれをキャンセルし（ステップＳ３１〜３２）、既に価格ｃの買い注文が登録されていればこれを継続し、そうでなければ証券取引所サーバ３０に新規登録する（ステップＳ３３〜３４）。暫く経っても売買が成立しないようであれば、仲介業者サーバ２０は定期的に希望価格の再選択を行う（ステップＳ３５からステップＳ２３へ）。
【００３８】
以上の処理により、利用者は、証券価格が上昇傾向にある場合はより高い値段で売却することが可能となるとともに、証券価格が下落傾向にある場合は、発注時点の価格からあまり乖離しない範囲で迅速に購入することができる。したがって、売り注文を何度も設定し直したり結局許容価格で売却できなかったりする事態を防止して、利用者の満足度を向上させることができる。
【００３９】
この実施例において、利用者が設定する基準価格ａはある時点での証券価格でなく、利用者が独自に設定するようにしてもよい。また、図３及び図６に示す画面例はこれに限られるものではなく、他の情報が載っていてもよいし画面デザインも実施環境に応じて適宜決定することができる。
【実施例２】
【００４０】
次に、本願発明の別の実施例について、図７および図８を参照しながら以下に説明する。本実施例では、利用者が同時に３つの希望価格を出すことができ、システム側が３つのなかから現在価格に応じて適切な１つを選択して取引所センタサーバ３０に登録する。
【００４１】
図７に購入注文画面例を示すように、仲介業者サーバ２０の希望価格取得手段は２２は、２つの基準価格ＡおよびＡ’と、３つの購入希望価格Ｂ、Ｃ、Ｄを取得する。購入注文画面において、第１の基準価格Ａには現在価格がデフォルトで転載されるものとする。利用者はこの画面において証券の購入を希望あるいは許容する３段階の価格を入力し、さらにＢ＜Ａ≦Ｃ＜Ａ’≦Ｄとなるように基準価格ＡとＡ’を入力する。図７では、基準価格Ａおよび購入希望価格Ｂ、Ｃは図３に示す実施例での基準価格ａおよび購入希望価格ｂ、ｃとそれぞれ同じであり、利用者がさらにその上に基準価格Ａ’および購入希望価格Ｄを設定した場合を説明する。すなわち、証券の現在価格が１００円のとき、購入希望価格Ｂを９８円、希望価格Ｃを１０２円、希望価格Ｄを１０６円とし、基準価格Ａを１００円、基準価格Ａ’を１０４円に設定したとする。この場合、購入希望高値Ｄとして成り行き価格を指定することも可能である。
【００４２】
図８は、仲介業者サーバ２０の動作を説明するフローチャートである。上記の希望価格Ｂ〜Ｄ、基準価格ＡおよびＡ’を受信したサーバ２０は（ステップＳ４１）、これらの値が「Ｂ＜Ａ≦Ｃ＜Ａ’≦Ｄ」となっているか否かを確認する（ステップＳ４２）。その後、希望価格選択手段２２が現在の証券価格Ｅを確認し（ステップＳ４３）、現在価格Ｅと基準価格Ａを比較する（ステップＳ４４）。ここで現在価格Ｅが基準価格Ａ（＝１００円）以下である場合、最も安値である第１希望価格Ｂ（＝９８円）を選択する（ステップＳ４５）。この処理は図４に示すステップＳ４〜Ｓ５と同じである。
【００４３】
ステップＳ４４で現在価格Ｅが基準価格Ａより大きければ、希望価格選択手段２２は現在価格Ｅを第２の基準価格Ａ’と比較する（ステップＳ４６）。ここで現在価格Ｅが基準価格Ａ’以下である場合、選択手段２２は第２の希望価格Ｃを選択する（ステップＳ４７）。ステップＳ４６で現在価格Ｅが基準価格Ａ’より大きい場合は、選択手段２２は希望価格Ｄを選択する（ステップＳ４８）。希望価格が選択されたら、注文処理手段２４が、既に他の値での買い注文が取引所センタサーバ３０に登録されていればこれを取消し、同じ値での買い注文が登録されていればこれを継続し、なければ選択された希望価格で買い注文を新規に登録する（ステップＳ４９）。なお、この処理は図４におけるステップＳ６〜Ｓ９、ステップＳ１１〜Ｓ１４の処理と同じである。
【００４４】
以上を具体的な金額でいえば、希望価格選択手段２２は、直前の価格が１００円であった証券の現在価格Ｅが１００円以下の場合に希望価格Ｂ＝９８円を選択し、現在価格が１００円〜１０４円の場合に希望価格Ｃ＝１０２円を選択し、１０４円以上である場合に希望価格Ｄ＝１０６円を選択する。これにより、証券価格が下降傾向であるときには最も有利となる価格Ｂで買い注文が出され、証券価格が上昇傾向であるときには残る２つの希望価格のうち適切な方を選択して買い注文が出される。これにより、例えば取引センタサーバ３０に１０２円の売り注文が存在する場合１０２円での売買を狙うことができ、１０６円で買ってしまう事態を回避して利用者の無駄な出費を防止することが可能となる。
【００４５】
以上は、証券価格が上昇傾向となった場合でもなるべく安い値で購入されるよう３段階の購入希望価格を指定した実施例であるが、これは証券価格が下降傾向となった場合により安い値で購入できるような価格指定、すなわち希望価格Ｂ、Ｃ、Ｄを９４円、９８円、１０２円というように指定してもよい。その場合は基準価格ＡとＡ’は９６円と９８円とすることが考えられるが、基準価格ＡとＡ’は上記のとおり「Ｂ＜Ａ≦Ｃ＜Ａ’≦Ｄ」の関係が成立していれば任意の価格を指定することができる。また、直前の値段に対して安値側と高値側にそれぞれ２段階づつ以上、合計４つ以上の希望価格を出せるように構成してもよい。４つ以上の希望価格を設定可能とする場合、希望価格の指定数をｎとすれば基準価格の指定数はｎ−１となることはこれまでの説明から明らかである。
【００４６】
さらに、フローチャートを作成しての詳細な説明は省略するが、直前価格が１００円の実施例における証券売却処理は、例えば、売却希望価格を１０２円、９８円、９４円とし、基準価格を１００円と９６円に設定するとして、希望価格選択手段は証券の現在価格が１００円以上であれば希望価格１０２円を、現在価格が１００円より低く９６円以上である場合は希望価格９８円を、現在価格が９６円より低い場合は希望価格９４円を選択するように構成する。これにより相場が有利な状態であればより最も高い価格１０２円で売却注文が出され、不利な状態であっても残る２つの希望価格９８円と９４円のうち適切な方を選択して売り注文が出される。これにより、例えば取引所センタサーバ３０に９８円の買い注文が存在する場合に９４円で売ってしまうといった事態を回避して、利用者に有利な取引を成立させることができる。
【００４７】
なお、上述の説明は利用者が購入または売却希望額を設定してから売買が成立するまでの動作を説明しているが、本発明のシステムは、仲介業者サーバ２０と利用者端末１０との間で行われる利用者毎のログイン認証処理手段や、利用者の口座に対する証券価格や手数料の決済処理手段、その他オンライントレーディングに必要な他の手段を具えるものとする。また、説明では証券の購入または売却の数量について言及していないが、実際の運用では注文ごとに扱う証券に応じた単位数量の情報が含まれ、取引所センタサーバ３０で行われる取引もこの数量に応じた処理が行われるものとする。
【００４８】
さらに、上記実施例はいずれもオンライントレードを扱う証券会社サーバ２０について説明しているが、利用者からの注文を証券会社の窓口や電話等で受け付け、窓口オペレータが利用者の注文を証券会社サーバ２０に直接入力するようにしてもよい。これにより、パソコンなどの利用者端末を持たない利用者も本願システムによる利益を受けることが可能となる。また、本発明の適用対象としての証券売買は為替、株式、国債その他の有価証券を含み、その売買スタイルも現物売り、現物買い、信用売り、信用買いの別を限定するものではない。ここで、信用売りや信用買いの場合は売買の順序が現物売買とは逆になるが、高値で売って安値で買うのが有利という図式は替わらないので、図４、５、８に示す方法を適用することができる。
【産業上の利用可能性】
【００４９】
以上、詳細に説明したように、本発明によれば、利用者が同時に複数の異なる希望価格を指定し、仲介業者サーバが指定証券の現在価格に応じて選択した希望価格にて取引所センタサーバに注文を出すようにしているため、証券価格が利用者に有利な方向に動いている場合にはより有利な価格での売買成立を狙えるとともに、証券価格が利用者に不利な方向に動いている場合であっても利用者の許容範囲内の価格で迅速に取引成立を実現することができる。このシステムにより、利用者にとって有利なタイミングで取引を行うことができ、利用者の満足度を向上させることができる。
【図面の簡単な説明】
【００５０】
【図１】本発明に係る証券売買システムの全体像を示すブロック図である。
【図２】図１に示す仲介業者サーバの機能概略を示す図である。
【図３】第１実施例において利用者端末に表示される画面例を示す図である。
【図４】第１実施例における証券購入時の動作を説明するフローチャートである。
【図５】第１実施例における証券売却時の動作を説明するフローチャートである。
【図６】第１実施例において利用者端末に表示される画面例を示す図である。
【図７】第２実施例において利用者端末に表示される画面例を示す図である。
【図８】第２実施例における証券購入時の動作を説明するフローチャートである。
【符号の説明】
【００５１】
１０    利用者端末
２０    仲介業者サーバ
２１    送受信手段
２２    希望価格取得手段
２３    希望価格選択手段
２４    注文処理手段
３０    取引所センタサーバ
【図１】
2005050085.tif 000003
【図２】
2005050085.tif 000004
【図３】
2005050085.tif 000005
【図４】
2005050085.tif 000006
【図５】
2005050085.tif 000007
【図６】
2005050085.tif 000008
【図７】
2005050085.tif 000009
【図８】
2005050085.tif 000010